(57)【要約】【課題】  水中にある場合であっても、使い勝手の良いデジタルカメラを提供する。【解決手段】  被写体光を撮像する撮像部１０と、前記撮像部による撮像を水中で行う水中撮影モードを設定するモード設定部８と、前記撮像部による撮像を行う際に用いる機能を設定する機能設定部８と、外部機器と通信を行う通信部２４，２６とを備え、前記モード設定部により前記水中撮影モードが設定されると、前記機能設定部は、前記機能を水中用の機能に設定すると共に、前記通信部は、水中用の通信方式により外部機器６との通信を確立する。【選択図】  図１
2014143679.tif 000002
【特許請求の範囲】
【請求項１】
被写体光を撮像する撮像部と、
前記撮像部による撮像を水中で行う水中撮影モードを設定するモード設定部と、
前記撮像部による撮像を行う際に用いる機能を設定する機能設定部と、
外部機器と通信を行う通信部と
を備え、
前記モード設定部により前記水中撮影モードが設定されると、前記機能設定部は、前記機能を水中用の機能に設定すると共に、前記通信部は、水中用の通信方式により外部機器との通信を確立することを特徴とするデジタルカメラ。
【請求項２】
前記水中用の通信方式は、人体通信であることを特徴とする請求項１記載のデジタルカメラ。
【請求項３】
水を検知する水検知センサを備え、
前記水検知センサにより水が検知されると、前記モード設定部は前記水中撮影モードを設定することを特徴とする請求項１または２記載のデジタルカメラ。
【請求項４】
前記撮像部により撮像された前記被写体光に基づく画像を表示する表示部を備え、
前記モード設定部により前記水中撮影モードが設定されると、前記水中用の機能として、前記表示部における前記画像の表示の停止及び、前記画像のデータの前記外部機器に対する送信を行うことを特徴とする請求項１〜３の何れか一項に記載のデジタルカメラ。
【請求項５】
前記撮像部により行われる撮像に関する操作指示を行うための複数の操作部材を含む操作部を備え、
前記モード設定部により前記水中撮影モードが設定されると、前記水中用の機能として、前記操作部のうち、ユーザが片手で操作可能な範囲に設けられた前記操作部材以外からの操作指示を制限することを特徴とする請求項１〜４の何れか一項に記載のデジタルカメラ。
【請求項６】
前記撮像部により行われる撮像に関する操作指示を行うための複数の操作部材を含む操作部を備え、
前記モード設定部により前記水中撮影モードが設定されると、前記水中用の機能として、前記操作部を用いた操作指示の受付を停止することを特徴とする請求項１〜５の何れか一項に記載のデジタルカメラ。
【請求項７】
前記モード設定部により前記水中撮影モードが設定されると、前記水中用の機能として、前記通信部を介して自己位置を測定する測位部を備える前記外部機器から前記自己位置を示すデータを受信することを特徴とする請求項１〜６の何れか一項に記載のデジタルカメラ。
【請求項８】
周囲の音を集音する集音部を備え、
前記モード設定部により前記水中撮影モードが設定されると、前記水中用の機能として、前記集音部により集音した音のデータを前記外部機器に送信することを特徴とする請求項１〜７の何れか一項に記載のデジタルカメラ。
【請求項９】
前記人体通信を行うための端子を備え、
前記端子は、ユーザが前記デジタルカメラを確実に保持するための所定の位置に配置されることを特徴とする請求項２〜８の何れか一項に記載のデジタルカメラ。
【請求項１０】
前記モード設定部により前記水中撮影モードが設定されると、前記水中用の機能として、前記外部機器からの所定の操作指示を受け付けることを特徴とする請求項１〜９の何れか一項に記載のデジタルカメラ。
【発明の詳細な説明】
【技術分野】
【０００１】
本発明は、デジタルカメラに関するものである。
【背景技術】
【０００２】
水中で使用可能なカメラが知られている（例えば、特許文献１参照）。このカメラにおいては、無線通信やＧＰＳ等の無線機能が水中では使用できなくなるため、水中においてはこれらの無線機能を停止させている。
【先行技術文献】
【特許文献】
【０００３】
【特許文献１】特開２００６−２７９２７８号公報
【発明の概要】
【発明が解決しようとする課題】
【０００４】
しかし、このカメラにおいては水中にある場合に通信が困難であるため、撮影を行う際に被写体の構図の確認等を水中でしか行うことができないなど、使い勝手が悪い場合があった。
【０００５】
本発明の目的は、水中にある場合であっても、使い勝手の良いデジタルカメラを提供することである。
【課題を解決するための手段】
【０００６】
本発明に係るデジタルカメラは、被写体光を撮像する撮像部と、前記撮像部による撮像を水中で行う水中撮影モードを設定するモード設定部と、前記撮像部による撮像を行う際に用いる機能を設定する機能設定部と、外部機器と通信を行う通信部とを備え、前記モード設定部により前記水中撮影モードが設定されると、前記機能設定部は、前記機能を水中用の機能に設定すると共に、前記通信部は、水中用の通信方式により外部機器との通信を確立することを特徴とする。
【発明の効果】
【０００７】
本発明によれば、水中にある場合であっても、使い勝手の良いデジタルカメラを提供することができる。
【図面の簡単な説明】
【０００８】
【図１】第１の実施の形態に係るデジタルカメラを含むカメラシステムのシステム構成を示すブロック図である。
【図２】第１の実施の形態に係るデジタルカメラを含むカメラシステムの使用態様を示す図である。
【発明を実施するための形態】
【０００９】
以下、図面を参照して本発明の第１の実施の形態に係るデジタルカメラについて説明する。図１は実施の形態に係るデジタルカメラを含むカメラシステムのシステム構成を示すブロック図である。カメラシステム２は、デジタルカメラ４及び外部機器の一例としてスマートフォン、タブレット等のスマートデバイス６を備えている。
【００１０】
デジタルカメラ４は制御部８を備え、制御部８にはＣＣＤまたはＣＭＯＳ等により構成され、撮影レンズ６８（図２参照）を介した被写体からの光を撮像する撮像素子１０、ライブビュー画像やデジタルカメラ４により撮影された画像、デジタルカメラ４の撮影条件を設定するメニュー画面等を表示するＬＣＤ表示部１２、操作部１４、周囲の音声を集音するマイク１６、マイク１６により集音された音声、撮影条件等を設定する際の設定音及びシャッター音等を出力するスピーカ１８、自己位置を測定するＧＰＳ２０、撮影方位を測定する電子コンパス２２、Ｗｉ−Ｆｉ、Ｂｌｕｅｔｏｏｔｈ（登録商標）等の無線通信により外部機器との通信を行う無線通信部２４、デジタルカメラ４に設けられた図示しないデジタルカメラ側端子を介して人体通信により外部機器との通信を行う人体通信部２６、デジタルカメラ４が水中にあるか否かを検出する水検出センサ２８、撮像素子１０により撮像された撮影画像の画像データを記録するメモリカード３０、デジタルカメラ４が水上にある場合の水上撮影モード及びデジタルカメラ４が水中にある場合の水中撮影モードにおけるデジタルカメラ４の設定プログラム等を記憶するＲＯＭ３２、動作させるプログラム等を一時的に記憶するＲＡＭ３４が接続されている。ここで、操作部１４には、後述するシャッタボタン５６、電源スイッチ５８、ズームボタン６０、動画撮影ボタン６２、撮影モードボタン６４、マルチセレクタ６６等の操作部材が含まれている。
【００１１】
また、スマートデバイス６は制御部３８を備え、制御部３８にはＷｉ−Ｆｉ、Ｂｌｕｅｔｏｏｔｈ（登録商標）等の無線通信によりデジタルカメラ４等との通信を行う無線通信部４０、人体通信によりデジタルカメラ４等との通信を行う人体通信部４２、無線通信部４０または人体通信部４２を介して受信した画像データに基づく画像や種々の情報を表示する表示部４４、表示部４４に積層して配置され、ユーザによる操作を受け付けるタッチセンサ４６、無線通信部４０または人体通信部４２を介して受信した音声データに基づく音声を出力するスピーカ４８、表示部４４に表示された情報に対して所定の操作を行う操作部５０、自己位置を測定するＧＰＳ５２、無線通信部４０または人体通信部４２を介して受信したデータ等を記憶する記憶部５４が接続されている。
【００１２】
図２は、実施の形態に係るデジタルカメラを含むカメラシステムの使用態様を示す図であり、ユーザが右手にデジタルカメラ４を、左手にスマートデバイス６を持っている状態を示している。
【００１３】
図２（ａ）に示すようにデジタルカメラ４の上面には静止画像の撮影指示を行うシャッタボタン５６、電源スイッチ５８が設けられ、デジタルカメラ４の背面には、ＬＣＤ表示部１２、ズームボタン６０、動画像の撮影開始指示及び撮影終了指示を行う動画撮影ボタン６２、水上撮影モード及び水中撮影モード等の撮影モードを設定する撮影モードボタン６４、ＬＣＤ表示部１２に表示された撮影条件等の選択を行うマルチセレクタ６６が設けられている。また、デジタルカメラ４の側面には、スピーカ１８が設けられ、前面には撮影レンズ６８、周囲の音を集音するマイク１６（図１参照）が設けられている。ここで、デジタルカメラ４には、ユーザが右手等の片手で操作可能な範囲にシャッタボタン５６、ズームボタン６０、動画撮影ボタン６２、撮影モードボタン６４が設けられている。さらに、デジタルカメラ４には、スマートデバイス６等の外部機器との人体通信を行う際にユーザの手（図２においては右手）との接点となる図示しないデジタルカメラ側端子が設けられている。
【００１４】
また、スマートデバイス６には、表示部４４、表示部４４に積層して配置されたタッチセンサ４６、スピーカ４８、操作部５０が設けられている。さらに、スマートデバイス６にはデジタルカメラ４との人体通信を行う際にユーザの手（図２においては左手）との接点となる図示しない外部機器側端子が設けられている
【００１５】
次に、実施の形態に係るデジタルカメラを含むカメラシステムの水中撮影モードにおける設定及び水上撮影モードにおける設定について説明する。なお、本実施の形態においては、図２に示すようにユーザが右手にデジタルカメラ４を、左手にスマートデバイス６をそれぞれ持っている状態について説明する。
【００１６】
図２（ａ）に示すようにデジタルカメラ４が水上にあり、水上撮影モードに設定されている場合には、デジタルカメラ４はスマートデバイス６との間で無線通信を確立する。即ち、デジタルカメラ４の無線通信部２４とスマートデバイス６の無線通信部４０との間でＷｉ−Ｆｉ等の通信方式により無線通信を確立する。
【００１７】
デジタルカメラ４とスマートデバイス６とが無線通信により接続されると、デジタルカメラ４の制御部８は、ＲＯＭ３２から水上撮影モードにおける設定プログラムを読み出し、撮影を行う際に用いる機能を水上撮影モード（外部機器と無線通信を行う場合）の設定とする。
【００１８】
制御部８は、撮影を行う際に用いる機能として例えば、操作系、モニター、サウンド、撮影位置の記録及びオートホワイトバランスの設定を行う。
【００１９】
操作系の設定として、制御部８はスマートデバイス６からの操作を受け付ける設定を行う。この場合には、スマートデバイス６のタッチセンサ４６または操作部５０を用いてレリーズ操作やズーム操作等の操作指示が行われると、スマートデバイス６の制御部３８は無線通信部４０を介してデジタルカメラ４に対して操作指示を示す情報を送信する。デジタルカメラ４は無線通信部２４を介して操作指示を示す情報を受信すると、制御部８は受信した操作指示を示す情報に基づいてデジタルカメラ４の各構成にレリーズ動作やズーム動作等を行わせる。
【００２０】
また、モニターの設定として、制御部８はデジタルカメラ４のＬＣＤ表示部１２にライブビュー画像やデジタルカメラ４により撮影された画像、デジタルカメラ４の撮影条件を設定するメニュー画面を表示させる設定を行う。
【００２１】
また、サウンドの設定として、制御部８はマイク１６により集音された音声、撮影条件等を設定する設定音及びシャッター音等の音声をデジタルカメラ４のスピーカ１８から出力させる設定を行う。
【００２２】
また、撮影位置の記録設定としては、制御部８は撮影した画像データのＥｘｉｆ形式等のファイルのメタデータに撮影時の自己位置の情報を記録させる際に、デジタルカメラ４のＧＰＳ２０により出力された自己位置の情報をメタデータに付加してメモリカード３０に記録させる設定を行う。さらに、制御部８は、デジタルカメラ４の電子コンパス２２により測定された撮影方位の情報をメタデータに付加してメモリカード３０に記録させる設定を行う。
【００２３】
また、撮影条件の設定として、制御部８は、水上撮影用のオートホワイトバランスを設定する。
【００２４】
次に、デジタルカメラ４が水中撮影モードに設定される場合について説明する。図２（ｂ）に示すように水上撮影モードが設定されているデジタルカメラ４が水中に入り、水検出センサ２８により水が検出された場合には、制御部８はデジタルカメラ４が水中にあると判断し、水中撮影モードに設定する。
【００２５】
また、水上撮影モードが設定されているときに、撮影モードボタン６４が操作されると、制御部８はデジタルカメラ４を水中撮影モードに設定するようにしてもよい。
【００２６】
水中撮影モードが設定されると、制御部８は、デジタルカメラ４の人体通信部２６とスマートデバイス６の人体通信部４２との間で人体通信を確立する。また、無線通信から人体通信に切り替える際には、デジタルカメラ４のＬＣＤ表示部１２及びスマートデバイス６の表示部４４に接続の切替中である旨の表示を行ってもよい。
【００２７】
デジタルカメラ４とスマートデバイス６とが人体通信により接続されると、デジタルカメラ４の制御部８は、ＲＯＭ３２から水中撮影モードにおける設定プログラムを読み出し、撮影を行う際に用いる機能を水中撮影モード（外部機器と人体通信を行う場合）設定とする。
【００２８】
即ち、制御部８は、撮影を行う際の機能として、例えば、操作系、モニター、サウンド、撮影位置の記録及びオートホワイトバランスの設定を行う。
【００２９】
操作系の設定として、制御部８はスマートデバイス６からの操作の受け付けを停止し、デジタルカメラ４の操作部１４に含まれる操作部材のうち、ユーザが片手（右手）で操作可能な範囲に設けられた操作部材からの操作のみを受け付ける設定を行う。即ち、シャッタボタン５６、ズームボタン６０、動画撮影ボタン６２、撮影モードボタン６４の操作のみを受け付ける設定を行う。なお、ユーザが片手で操作可能な範囲に電源スイッチ５８が設けられている場合には、電源スイッチ５８の操作をさらに受け付ける構成としてもよい。
【００３０】
ここで、水中撮影モードにおいて撮影モードボタン６４は、水中撮影モードの解除を行う操作部材、即ち水中撮影モードから水上撮影モードへの切り替えを行う操作部材として機能する。従って、水検知センサ２８の出力に基づいて水中撮影モードと水上撮影モードの切り替えを行う場合には、撮影モードボタン６４をユーザが片手（右手）で操作可能な範囲に設けなくてもよい。
【００３１】
また、モニターの設定として、制御部８はデジタルカメラ４のＬＣＤ表示部１２を消灯させ、スマートデバイス６の表示部４４にライブビュー画像やデジタルカメラ４により撮影された画像、デジタルカメラ４の撮影条件を設定するメニュー画面等を表示させる設定を行う。この場合には、デジタルカメラ４の制御部８は、ライブビュー画像、デジタルカメラ４により撮影された画像、デジタルカメラ４の撮影条件を設定するメニュー画面等の画像データを人体通信部２６を介してスマートデバイス６に対して送信する。スマートデバイス６は人体通信部４２を介して画像データを受信すると、制御部３８は、受信した画像データの画像を表示部４４に表示させる。
【００３２】
また、サウンドの設定として、制御部８はマイク１６により集音された音声、撮影条件等を設定する設定音及びシャッター音等の音声をスマートデバイス６のスピーカ４８から出力させる設定を行う。この場合には、デジタルカメラ４の制御部８は、マイク１６により集音された音声等をＡ／Ｄ変換した音声データを人体通信部２６を介してスマートデバイス６に対して送信する。スマートデバイス６は人体通信部２６を介して音声データを受信すると、制御部３８は受信した音声データの音声をスピーカ４８から出力させる。
【００３３】
また、撮影位置の記録設定として、制御部８はスマートデバイス６のＧＰＳ５２により測定された自己位置を用いる設定を行う。この場合には、制御部８は撮影した画像データのＥｘｉｆ形式等のファイルのメタデータに撮影時の自己位置の情報を記録させる際に、人体通信部２６を介して、スマートデバイス６に対して自己位置の情報要求を送信する。スマートデバイス６は自己位置の情報要求を受信すると、制御部３８は、ＧＰＳ５２により出力された自己位置の情報をデジタルカメラ４に対して送信する。デジタルカメラ４は、受信した自己位置の情報を撮影した画像データのＥｘｉｆ形式等のファイルのメタデータに付加してメモリカード３０に記録させる。なお、撮影方位をメタデータに付加する場合には、デジタルカメラ４の電子コンパス２２により測定された撮影方位の情報を用いてメタデータに付加する。
【００３４】
また、撮影条件の設定として、水中における撮影では水上における撮影と分光特性が異なるため、制御部８は、水中撮影用のオートホワイトバランスを設定する。
【００３５】
水検出センサ２８の出力に基づいて水中撮影モードを設定した場合には、水検出センサ２８により水が検出されなくなったときに、制御部８はデジタルカメラ４を水上撮影モードに設定する。また、撮影モードボタン６４の操作により水中撮影モードを設定した場合には、水中撮影モードが設定されているときに、撮影モードボタン６４の操作が行われると、制御部８はデジタルカメラ４を水上撮影モードに設定する。
【００３６】
上述の第１の実施の形態に係るデジタルカメラによれば、デジタルカメラが水中にある場合であっても、使い勝手が優れている。また、デジタルカメラが水中にある場合でも水上でライブビュー画像を観察できるため、水中にあるデジタルカメラのＬＣＤ表示部を観察する場合と比較して、ライブビュー画像を容易に観察できる。
【００３７】
また、水中の音やデジタルカメラの設定音、シャッター音等を水上で聴くことができるため、デジタルカメラの動作状況や水中の様子を容易に把握することができる。また、デジタルカメラが水中にある場合であっても、撮影位置情報を付加した画像データを生成することができる。
【００３８】
また、水検知センサの出力に基づいて水上撮影モードと水中撮影モードとを切り替える場合には、デジタルカメラが水中にあるか否かによってデジタルカメラ及びスマートデバイスの設定を切り替えることができるため、双方の機器の設定を行う手間を省くことができる。
【００３９】
なお、上述の第１の実施の形態においては、水検出センサ２８の出力または撮影モードボタン６４の操作に基づいて水上撮影モードと水中撮影モードとを切り替える構成としたが、デジタルカメラ４が水上撮影モードに設定されている場合にスマートデバイス６との無線通信による接続ができなくなると、水中撮影モードに設定し人体通信を確立する構成としてもよい。
【００４０】
また、上述の第１の実施の形態の水上撮影モードにおいてデジタルカメラ４とスマートデバイス６とが無線通信により接続される構成としたが、水上撮影モードにおいてデジタルカメラ４はスマートデバイスとの接続を行わなくてもよい。この場合には、水検出センサ２８の出力または撮影モードボタン６４の操作に基づいて水中撮影モードが設定されると、デジタルカメラ４の制御部８は、スマートデバイス６との人体通信を確立する。
【００４１】
また、上述の第１の実施の形態においては、デジタルカメラ４と無線通信及び人体通信により接続する外部機器としてスマートデバイス６を例に説明したが、外部機器としては人体に接触する機器であればよく、例えば、ヘッドマウントディスプレイ、眼鏡型デバイス、腕時計型デバイス等であってもよい。
【００４２】
次に、本発明の第２の実施の形態に係るカメラシステムについて説明する。なお、この第２の実施の形態におけるカメラシステムは、第１の実施の形態に係るカメラシステム２の構成と同一の構成を有しているため、その説明を省略し、同一の構成には同一の符号を用いて説明を行う。
【００４３】
第２の実施の形態においては、第１の実施の形態と同様に水上撮影モードが設定されているデジタルカメラが水中に入り、水検出センサ２８により水が検出された場合には、制御部８はデジタルカメラ４が水中にあると判断し、水中撮影モードを設定する。
【００４４】
また、水上撮影モードが設定されているときに、撮影モードボタン６４が操作されると、制御部８はデジタルカメラ４を水中撮影モードに設定するようにしてもよい。
【００４５】
水中撮影モードが設定されると、制御部８は、デジタルカメラ４の人体通信部２６とスマートデバイス６の人体通信部４２との間で人体通信を確立する。
【００４６】
デジタルカメラ４とスマートデバイス６とが人体通信により接続されると、デジタルカメラ４の制御部８は、ＲＯＭ３２から水中撮影モードにおける設定プログラムを読み出し、撮影を行う際に用いる機能を水中撮影モード（外部機器と人体通信を行う場合）設定とする。
【００４７】
第２の実施の形態においては、撮影を行う際の機能として、例えば、操作系、モニター、サウンド、撮影位置の記録及びオートホワイトバランスの設定を行うが、モニター、サウンド、撮影位置の記録及びオートホワイトバランスの設定は、第１の実施の形態と同様に行うことができるため、詳細な説明は省略する。
【００４８】
第２の実施の形態においては、水中撮影モードでの操作系の設定として、デジタルカメラ４の制御部８は、スマートデバイス６等の外部機器からの所定の操作を受け付ける設定とする。
【００４９】
外部機器が、スマートフォン、タブレット等のスマートデバイス６である場合には、制御部３８は表示部４４にレリーズ指示を行うためのアイコン、ズーム指示を行うためのアイコンを表示させ、タッチセンサ４６を介したユーザの操作に基づいて、人体通信部４２を介してデジタルカメラ４に対して操作指示を示す情報を送信する。デジタルカメラ４は人体通信部２６を介して操作指示を示す情報を受信すると、制御部８は受信した操作指示を示す情報に基づいてデジタルカメラ４の各構成にレリーズ動作やズーム動作等を行わせる。
【００５０】
また、外部機器が眼鏡型デバイスである場合には、眼鏡型デバイスのつるに外部機器側端子をさらに設け、ユーザがこの外部機器側端子に手を触れると、眼鏡型デバイスからデジタルカメラ４に対して、人体通信によりレリーズ指示やズーム指示等の操作指示を示す情報を送信する。デジタルカメラ４は人体通信部２６を介して操作指示を示す情報を受信すると、制御部８は受信した操作指示を示す情報に基づいてデジタルカメラ４の各構成にレリーズ動作やズーム動作等を行わせる。
【００５１】
また、外部機器が腕時計型デバイスである場合には、腕時計型デバイスにおいて音声認識によりレリーズ指示やズーム指示等の操作指示を受け付け、腕時計型デバイスからデジタルカメラ４に対して、人体通信によりレリーズ指示やズーム指示等の操作指示を示す情報を送信する。デジタルカメラ４は人体通信部２６を介して操作指示を示す情報を受信すると、制御部８は受信した操作指示を示す情報に基づいてデジタルカメラ４の各構成にレリーズ動作やズーム動作等を行わせる。また、外部機器が腕時計型デバイスの場合には、人体通信を行っているデジタルカメラ４がユーザにより強く握られた場合にレリーズ動作を行う構成としてもよい。また、デジタルカメラ４のデジタルカメラ側端子からユーザの手が離れた場合にレリーズ動作を行う構成としてもよい。
【００５２】
また、第２の実施の形態において、デジタルカメラ４に設けられるデジタルカメラ側端子の位置は特に制限されないが、水中において、ユーザがデジタルカメラ４を確実に保持し、デジタルカメラ４を水底に落とさないようにしたり、デジタルカメラ４が水に流されたりしないようにする観点から、デジタルカメラ４を横向きに保持する（撮影光軸を略水平とする）場合には、デジタルカメラ４の上面及び底面にデジタルカメラ側端子を設け、ユーザの手が上面と底面に設けられたデジタルカメラ側端子の両方に触れることにより人体通信を行うことが好ましい。即ち、ユーザがデジタルカメラ４を挟み込むように保持することにデジタルカメラ４を確実に保持することができる。
【００５３】
このとき、デジタルカメラ４の底面に三脚に取り付けるための三脚座が設けられている場合には、デジタルカメラ４の底面に設けるデジタルカメラ側端子を三脚座周辺または三脚座の金属部に配置することができる。
【００５４】
また、水中において、ユーザがデジタルカメラ４を確実に保持し、デジタルカメラ４を水底に落とさないようにしたり、デジタルカメラ４が水に流されたりしないようにする観点から、デジタルカメラ４を下向きに保持する（水底を撮影する）場合には、（１）デジタルカメラ４にグリップ部を設け、グリップ部が強く握られた際にデジタルカメラ側端子を出現させる、（２）撮影レンズ６８がデジタルカメラ４の前面の中央部に配置されている場合において、レンズ鏡筒の根本の周りにデジタルカメラ側端子を配置する、（３）デジタルカメラ４にストラップ環を設け、ストラップ環にデジタルカメラ側端子を配置することが好ましい。なお、（３）デジタルカメラ４にストラップ環を設け、ストラップ環にデジタルカメラ側端子を配置する場合には、ストラップ環を大きくすることによりユーザの指がストラップ環に入るようにすることで、デジタルカメラ４をさらに確実に保持することができる。
【００５５】
また、水中において、ユーザがデジタルカメラ４を確実に保持し、デジタルカメラ４を水底に落とさないようにしたり、デジタルカメラ４が水に流されたりしないようにする観点から、ユーザのデジタルカメラ４を握る力が弱くなった場合に、デジタルカメラ４と人体接続を行っている外部機器において振動または警告音を発生させること、画面表示を行うことによりその旨を報知する構成としてもよい。
【００５６】
例えば、外部機器がスマートデバイス６である場合には、ユーザのデジタルカメラ４を握る力が弱くなった場合に、制御部８は人体通信部２６を介して、スマートデバイス６に対してユーザがデジタルカメラ４を握る力が弱くなった旨を示す情報を送信する。スマートデバイス６は人体通信部４２を介してこの情報を受信すると、制御部３８は表示部４４にユーザがデジタルカメラ４を握る力が弱くなった旨を示す画面を表示させてもよいし、スピーカ４８からユーザがデジタルカメラ４を握る力が弱くなった旨を示す警告音を発生させてもよい。
【００５７】
また、水中において、ユーザがデジタルカメラ４を確実に保持し、デジタルカメラ４を水底に落とさないようにしたり、デジタルカメラ４が水に流されたりしないようにする観点から、第２の実施の形態においては、ユーザがデジタルカメラ４をしっかり握れるようにするために、デジタルカメラ４が水中に入り、水検知センサ２８により水が検出された場合には、デジタルカメラ４の制御部８は、デジタルカメラ４に設けられたすべての操作部材を無反応とする構成としてもよい。
【００５８】
上述の第２の実施の形態に係るデジタルカメラによれば、デジタルカメラが水中にある場合であっても、使い勝手が優れている。また、デジタルカメラが水中にある場合でも水上でライブビュー画像を観察できるため、水中にあるデジタルカメラのＬＣＤ表示部を観察する場合と比較して、ライブビュー画像を容易に観察できる。
【００５９】
また、デジタルカメラが水中にある場合であっても、ユーザがデジタルカメラを確実に保持し、デジタルカメラを水底に落とさないようにしたり、デジタルカメラが水に流されたりしないようにすることができる。
【００６０】
なお、上述の各実施の形態においては、デジタルカメラ４とスマートデバイス６等の外部機器との人体通信が確立されている場合に、人体の抵抗値を計測し、人体通信の接続状況を外部機器において表示させること等によりユーザに報知する構成としてもよい。例えば、外部機器がスマートデバイス６の場合には、制御部３８は表示部４４に人体通信の状況をアンテナの本数にて示すアイコンを表示させる。
【００６１】
また、上述の各実施の形態においては、デジタルカメラ４はデジタルカメラ側端子を複数備えていてもよい。この場合には、人体通信を確立する際に使用されたデジタルカメラ側端子に基づいて、複数のデジタルカメラ側端子のそれぞれにレリーズ指示の機能やスマートデバイス６等の外部機器の認証を行う機能等の機能を割り当てる構成としてもよい。
【００６２】
また、上述の各実施の形態においては、人体通信を確立する際に、予めデジタルカメラ４に登録したキーを用いてもよい。例えば、予めデジタルカメラ４のＲＯＭ３２にスマートデバイス６等の外部機器を記憶させ、記憶された外部機器をキーとしてデジタルカメラ４の制御部８は人体通信を確立する際の認証を行うことができる。また、予めデジタルカメラ４のＲＯＭ３２に、人体通信を確立する際のデジタルカメラ側端子へのユーザの接触方法を記憶させ、記憶されたデジタルカメラ側端子への接触方法をキーとして、デジタルカメラ４の制御部８は人体通信を確立する際の認証を行うことができる。
【００６３】
また、上述の各実施の形態においては、握手することにより人体通信を行ってもよい。例えば、握手する際に一方のユーザがデジタルカメラ４を手に持ち、他方のユーザがスマートデバイス６を手に持っている場合に、デジタルカメラ４とスマートデバイス６との人体通信を確立し、画像データの送受信を行ってもよい。
【００６４】
また、上述の第２の実施の形態においては、手をつなぐことにより複数人を介した人体通信を行ってもよい。複数人で手をつなぎ、手をつないだ複数人のうちの一端のユーザがデジタルカメラ４を手に持ち、他端のユーザがスマートデバイス６を手に持っている場合に、複数人を介したデジタルカメラ４とスマートデバイス６との人体通信を確立してもよい。この場合には、スマートデバイス６のタッチセンサ４６を介した他端のユーザの操作に基づいて、制御部３８はデジタルカメラ４に対して操作指示を示す情報を送信する。一端のユーザが有するデジタルカメラ４は人体通信部２６を介して操作指示を示す情報を受信すると、制御部８は受信した操作指示を示す情報に基づいてデジタルカメラ４の各構成にレリーズ動作やズーム動作等を行わせる。従って、スマートデバイス６を手に持っているユーザとは異なる視点の画像や、スマートデバイス６を手に持っているユーザにとって遠くの画像を撮影することができる。
【符号の説明】
【００６５】
４…デジタルカメラ、６…スマートデバイス、８…制御部、１０…撮像素子、２４…無線通信部、２６…人体通信部
【図１】
2014143679.tif 000003
【図２】
2014143679.tif 000004